(57)【特許請求の範囲】
【請求項１】
雌ヒンジ部材が形成されている相対する一方の土手部と同じく雌ヒンジ部材が形成されているとともに前記相対する一方の土手部より高さの低い相対するもう一方の土手部と段部を有する平面形状が略Ｌ字状の角部ブロックとを有する底部と、前記相対する一方の土手部に形成された雌ヒンジ部材にヒンジ連結されるヒンジ雄部が形成されている相対する一方の側壁と、前記もう一方の相対する土手部に形成された雌ヒンジ部材にヒンジ連結されるヒンジ雄部が形成されている相対するもう一方の側壁とを有し、前記相対する一方の側壁と前記相対するもう一方の側壁とが略垂直に立てられた状態から、先ず最初に、前記相対するもう一方の側壁を底部方向に倒し、次いで、前記相対する一方を底部方向に倒すことにより、折り畳むことが可能な折り畳みコンテナーにおいて、前記相対する一方の土手部に形成された雌ヒンジ部材が、前記相対する一方の土手部の水平部の上面に立設された板状部と該板状部の上端に形成されたフックとから構成され、また、前記相対する一方の側壁に形成されたヒンジ雄部が、前記相対する一方の側壁の下部フランジに垂設された一対の支持片と該一対の支持片に架橋された水平ピンとから構成されており、前記相対する一方の土手部に形成された雌ヒンジ部材のフックに、前記相対する一方の側壁に形成されたヒンジ雄部の水平ピンを嵌入することにより、前記底部の相対する一方の土手部と前記相対する一方の側壁とがヒンジ連結されるように構成されているとともに、前記相対する一方の側壁を底部方向に倒した際には、前記相対する一方の側壁に形成された前記ヒンジ雄部の支持片の内側垂直端面が、前記相対する一方の土手部の水平部の上面に載置されるように構成されており、更に、前記相対する一方の側壁に形成されたヒンジ雄部を構成する支持片の内側垂直端面が、前記相対する一方の側壁の内面より、所定距離、引っ込んでおり、且つ、前記所定距離だけ、前記角部ブロックの段部及び上端の高さが、それぞれ、低く形成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
先ず最初に、図４〜図１３を用いて、従来の折り畳みコンテナーについて説明する。
【０００３】
先ず最初に、図４、図６及び図８を用いて、合成樹脂で一体に成形された底部について説明する。
【０００４】
１は、平面形状が略長方形状の底部であり、底部１の相対する短辺側には、短辺に垂直な断面形状が、略逆Ｕ字状の短辺側土手部１ａが形成されており、短辺側土手部１ａの水平部１ａ１の上面１ａ１’の外側縁には、上方に延在する外壁（以下、単に、短辺側外壁という。）１ｂが、短辺側土手部１ａの外壁面と略面一になるように立設されている。また、短辺側土手部１ａの水平部１ａ１の上面１ａ１’の内側縁には、所定の間隔で、略垂直な板状部ｈ１が立設されており、板状部ｈ１の上端には、短辺側外壁１ｂの方向に延在するとともに下方に湾曲したフックｈ２が形成されており、板状部ｈ１とフックｈ２とにより、短辺側雌ヒンジ部材Ｈ１が構成されている。短辺側雌ヒンジ部材Ｈ１は所定の間隔を置いて、適当数、形成されている。短辺側雌ヒンジ部材Ｈ１のフックｈ２の上端と、短辺側外壁１ｂの上端１ｂ１とは同じ高さに形成されている。
【０００５】
短辺側外壁１ｂの内面１ｂ２と短辺側土手部１ａの水平部１ａ１の上面１ａ１’とにより形成される隅部には、方形状の規制片１ｃが、所定数、形成されており、規制片１ｃの上端１ｃ１は、短辺側外壁１ｂの上端１ｂ１と同じ高さか或いは若干、高くなるように形成されており、また、規制片１ｃの垂直端１ｃ２は、短辺側土手部１ａの内壁面１ａ２と面一になるように構成されている。
【０００６】
また、底部１の相対する長辺側には、短辺側土手部１ａより低い、同様の長辺側土手部１ｄが形成されており、長辺側土手部１ｄの上面１ｄ１の外側縁には、上方に延在する外壁（以下、単に、長辺側外壁という。）１ｅが、長辺側土手部１ｄの外壁面と略面一になるように、且つ、所定の間隙を置いて形成されている。図４には、長辺側外壁１ｅが、外壁中央部１ｅ１と、外壁中央部１ｅ１と所定の間隔を置いて配置された外壁端部１ｅ２とから構成されている例が示されている。また、長辺側外壁１ｅの高さは、短辺側外壁１ｂの高さより低く形成されている。
【０００７】
長辺側土手部１ｄの上面１ｄ１の内側縁には、長辺側外壁１ｅを構成する外壁中央部１ｅ１及び外壁端部１ｅ２と対向するように、所定の間隔で、略垂直な板状部ｈ１が立設されており、板状部ｈ１の上端には、長辺側外壁１ｅ方向に延在するとともに下方に湾曲したフックｈ２が形成されており、板状部ｈ１とフックｈ２とにより、長辺側雌ヒンジ部材Ｈ２が構成されている。また、長辺側雌ヒンジ部材Ｈ１のフックｈ２の上端と、長辺側外壁１ｅを形成する外壁中央部１ｅ１の上端１ｅ１’及び外壁端部１ｅ２の上端１ｅ２’とは同じ高さに形成されている。この長辺側雌ヒンジ部材Ｈ２は、上述した短辺側雌ヒンジ部材Ｈ１と同一構造を有している。長辺側雌ヒンジ部材Ｈ２は、所定の間隔を置いて、適当数、形成されている。
【０００８】
底部１の４つの角部には、長辺側外壁１ｅ及び短辺側外壁１ｂを越えて上方に延在する、平面形状が略Ｌ字状の角部ブロック１ｆが形成されている。角部ブロック１ｆの内側には、短辺側ヒンジ雌部Ｈ１と略同じ高さを有する段部１ｆ１が形成されている。
【０００９】
次に、図５及び図６を用いて、長側壁２について説明する。
【００１０】
長側壁２は、横長の板状部２ａと、横長の板状部２ａの下端から水平方向に延在する下部フランジ２ｂと、横長の板状部２ａの上端から水平方向に延在する上部フランジ２ｃと、横長の板状部２ａの両端に形成されるとともに、下部フランジ２ｂの両端と上部フランジ２ｃの両端を連結する側部フランジ２ｄを有しており、下部フランジ２ｂ、上部フランジ２ｃ及び側部フランジ２ｄとにより囲まれた板状部２ａには、長側壁２を補強するために、必要に応じて、適宜、適当数の横リブ２ｅ及び縦リブ２ｆが形成されている。
【００１１】
長側壁２の下部フランジ２ｂの下面には、上述した底部１の長辺側土手部１ｄに形成された長辺側雌ヒンジ部材Ｈ２に対応して、長側壁側ヒンジ雄部Ｈ３が形成されており、長側壁側ヒンジ雄部Ｈ３は、下部フランジ２ｂの下面に、所定の間隔を置いて垂設された一対の下端縁が略半円形状に形成された支持片ｈ３と、一対の支持片ｈ３に架橋された水平ピンｈ４とから構成されている。なお、２ｇ１は、長側壁２の上部両端部に形成された一例としての長側壁側係止部材２ｇを形成する凸条である。
【００１２】
２ｈは、長側壁２の下部角部に形成された切り欠き凹部であり、折り畳みコンテナーが箱型に組み立てられた際に、底部１の４つの角部に形成された略Ｌ字状の角部ブロック１ｆのうち、長側壁２側に延在する部分１ｆ２が、長側壁２に干渉しないように、入り込むことができるように構成されている。なお、２ｉは、隣り合う支持片ｈ３を連結する連結梁である。
【００１３】
次に、図７及び図８を用いて、短側壁３について説明する。
【００１４】
短側壁３は、横長の板状部３ａと、横長の板状部３ａの下端から水平方向に延在する下部フランジ３ｂと、横長の板状部３ａの上端から水平方向に延在する上部フランジ３ｃと、横長の板状部３ａの両端に形成されるとともに、下部フランジ３ｂの両端と上部フランジ３ｃの両端を連結する側部フランジ３ｄを有しており、下部フランジ３ｂ、上部フランジ３ｃ及び側部フランジ３ｄとにより囲まれた板状部３ａには、長側壁３を補強するために、必要に応じて、適宜、適当数の横リブ３ｅ及び縦リブ３ｆが形成されている。
【００１５】
短側壁３の下部フランジ３ｂの下面には、上述した底部１の短辺側土手部１ｂに形成された短辺側雌ヒンジ部材Ｈ１に対応して、短側壁側ヒンジ雄部Ｈ４が形成されており、短側壁側ヒンジ雄部Ｈ４は、下部フランジ３ｂの下面に、所定の間隔を置いて垂設された一対の下端縁が略半円形状に形成された支持片ｈ３と、一対の支持片ｈ３に架橋された水平ピンｈ４とから構成されている。短側壁側ヒンジ雄部Ｈ４は、上述した長側壁側ヒンジ雄部Ｈ３と同一構造を有している。なお、３ｇは、短側壁３の上部両端部から、板状部３ａに対して略垂直に延在する一例としての短側壁側係止部材であり、短側壁側係止部材３ｇには、上述した長側壁側係止部材２ｇを構成する凸条２ｇ１が挿入可能な嵌合孔３ｇ１が形成されているとともに、折り畳みコンテナーが箱型に組み立てられた際に、長側壁２の内壁に当接する、上下スリット３ｇ２間に形成された弾性を有する舌片３ｇ３が形成されている。
【００１６】
３ｈは、短側壁３の下部角部に形成された切り欠き凹部であり、折り畳みコンテナーが箱型に組み立てられた際に、底部１の４つの角部に形成された略Ｌ字状の角部ブロック１ｆのうち、短側壁３側に延在する部分１ｆ３が、短側壁２に干渉しないように、入り込むことができるように構成されている。なお、３ｉは、短側壁側ヒンジ雄部Ｈ４を構成する支持片ｈ３と同様の下部フランジ３ｂの下面に形成された垂下片であり、隣り合う支持片ｈ３と垂下片３ｉとは、連結梁３ｊで連結されている。３ｋは、垂下片３ｉ間に形成された間隙であり、折り畳みコンテナーを組み立てた際に、底部１に形成された方形状の規制片１ｃが挿入されるように構成されている。３ｍは、手持ち用開口である。
【００１７】
次に、主として、図６及び図８を用いて、底部１、長側壁２及び短側壁３を、折り畳みコンテナーに組み立てる作業について説明する。
【００１８】
底部１に、長側壁２を連結するには、底部１に形成された長辺側雌ヒンジ部材Ｈ２のフックｈ２と、長辺側外壁１ｅを構成する外壁中央部１ｅ１と外壁端部１ｅ２との間隙に、長側壁２に形成された長側壁側ヒンジ雄部Ｈ３の水平ピンｈ４を嵌入するとともに、水平ピンｈ４を、上記底部１に形成された長辺側雌ヒンジ部材Ｈ２のフックｈ２に引っ掛けることにより、底部１と長側壁２とをヒンジ連結する。
【００１９】
また、底部１に、短側壁３を連結するには、同様にして、底部１に形成された短辺側雌ヒンジ部材Ｈ１のフックｈ２と、短辺側外壁１ｂとの間隙に、短側壁３に形成された短側壁側ヒンジ雄部Ｈ４の水平ピンｈ４を嵌入するとともに、水平ピンｈ４を、上記底部１に形成された短辺側雌ヒンジ部材Ｈ１のフックｈ２に引っ掛けることにより、底部１と短側壁３とをヒンジ連結する。このヒンジ連結の際に、垂下片３ｉ間に形成された間隙３ｋに、底部１に形成された規制片１ｃが挿入されるように構成されている。
【００２０】
上述したようにして、底部１、長側壁２及び短側壁３をヒンジ連結して、折り畳みコンテナーを組み立てる。
【００２１】
図９に示されてように、底部１の上に、長側壁２が重ねられ、更に、長側壁２の上に、短側壁３が重ねられた状態の折り畳みコンテナーが折り畳まれた状態から、図１１に示されているように、折り畳みコンテナーを箱型に組み立てるには、先ず最初に、図１０に示されているように、底部１及び長側壁２の上に重ねられている短側壁３を、略垂直に立てる。次いで、底部１の上に重ねられている長側壁２を垂直方向に回動させて、長側壁側係止部材２ｇの凸条２ｇ１を．略垂直に立てられている短側壁３の短側壁側係止部材３ｇの嵌合孔３ｇ１に挿入するとともに、短側壁側係止部材３ｇの弾性を有する舌片３ｇ３を、長側壁２により押圧して外方向に移動させながら、更に長側壁２を回動すると、長側壁２と短側壁側係止部材３ｇの舌片３ｇ３との衝合が外れて、舌片３ｇ３が内側方向に、その弾性により戻り、長側壁２の内壁に当接し、後から略垂直に立てられた長側壁２が、簡単には、内側に倒れないように構成されている。
【００２２】
上述したようにして、図１１に示されているように、箱型に組み立てられた折り畳みコンテナーを、図９に示されているように、折り畳むには、短側壁３の短側壁側係止部材３ｇを構成する舌片３ｇ３を外方向に移動させて、舌片３ｇ３と長側壁２の内壁との当接状態を解除し、この状態で、長側壁２を底部１方向に倒して、長側壁２を底部１に重ねる。次いで、短側壁３を、底部１方向に倒して、短側壁３を底部１に重ねことにより、折り畳むことができる。なお、図９に示されているように、折り畳んだ状態においては、長辺側外壁１ｅを構成する外壁中央部１ｅ１と外壁端部１ｅ２との間に形成された長辺側外壁１ｅの間隙に、短側壁３に形成された短側壁側係止部材３ｇが挿入可能なように構成されており、折り畳まれた状態の折り畳みコンテナーの高さが、より低くなるように構成されている。
【００２３】
箱型に組み立てられた状態においては、図１２に示されているように、短側壁３の下部フランジ３ｂの下面に形成された短側壁側ヒンジ雄部Ｈ４の支持片ｈ３の内側垂直端面（板状部３ａに略平行で、且つ、箱型に組み立てられた折り畳みコンテナーの内部側に位置する端面）ｈ３ａは、短側壁３の板状部３ａの内面３ａ１と略面一になるように構成されており、また、支持片ｈ３の外側垂直端面（板状部３ａに略平行で、且つ、組み立てられた折り畳みコンテナーの短辺側外壁１ｂ側に位置する端面）ｈ３ｂは、短辺側外壁１ｂに近接して位置するように構成されている。支持片ｈ３の板状部３ａに対して直角方向の長さｗ１は、下部フランジ３ｂの下面の板状部３ａに対して直角方向の長さｗ２より、短辺側外壁１ｂの肉厚ｗ３分だけ短く形成されている。そして、箱型に組み立てられた状態においては、下部フランジ３ｂの支持片ｈ３から外側に飛び出た部分が、短辺側外壁１ｂの上面１ｂ３に載置されるように構成されている。
【００２４】
【発明が解決しようとする課題】
上述した従来の折り畳みコンテナーが図９に示されているように、折り畳まれた状態においては、図１３に示されているように、後から倒される短側壁３の下部フランジ３ｂに形成された短側壁側ヒンジ雄部Ｈ４を構成する支持片ｈ３の内側垂直端面ｈ３ａは、短辺側土手部１ａの水平部１ａ１の上面１ａ１’に載置されることになる。そして、折り畳まれた状態においては、略水平状の短側壁３の上面３’（下部フランジ３ｂや上部フランジ３ｃや側部フランジ３ｄ等により形成される仮想平面）は、角部ブロック１ｆの段部１ｆ１と同じ高さか、或いは、段部１ｆ１より、若干、低くなるように構成されている。なお、折り畳まれた状態の折り畳みコンテナーの高さＴ’は、底部１の裏面（底部１の裏面１’には、交差リブ１ｇが形成されているので、交差リブ１ｇの下端が形成する仮想水平面ということになる。）１’から角部ブロック１ｆの上端１ｆ２までとなる。
【００２５】
折り畳まれた状態の折り畳みコンテナーを段積みした際には、上に位置する底部１の下面に形成された嵌合凸部１”の角部が、下に位置する折り畳みコンテナーの底部１の４つの角部に形成された角部ブロック１ｆの段部１ｆ１に嵌合されるように構成されているとともに、底部１の短辺側土手部１ａ及び長辺側土手部１ｄの裏面が、角部ブロック１ｆの上端１ｆ２に載置されるように構成されているので、折り畳まれた状態においては、角部ブロック１ｆの段部１ｆ１の上面は、上述したように、後から倒される短側壁３の上面３’と同じ高さか、或いは、短側壁３の上面３’より、若干、上方に位置していなければならない。角部ブロック１ｆの段部１ｆ１の上面が、後から倒される短側壁３の上面３’より低いと、段積みの際に、上に位置する折り畳みコンテナーの底部１の下面１’が、下に位置する折り畳まれた状態の折り畳みコンテナーの短側壁３の上面３’に当接し、短側壁３を損傷するという問題が発生することになる。
【００２６】
上述した従来の折り畳みコンテナーにおいては、折り畳まれた状態の折り畳みコンテナーの全体の高さが高く、従って、折り畳まれた状態の折り畳みコンテナーの収納効率が悪いという問題があった。
【００２７】
また、図１４に示されているように、短辺側土手部１ａの水平部１ａ１を、図１２に示されている水平部１ａ１より下方に下げて、略垂直に立てられた状態の短側壁３の短側壁側ヒンジ雄部Ｈ４を構成する支持片ｈ３と、短辺側土手部１ａの水平部１ａ１の上面１ａ１’との間に間隙Ｓを形成することにより、図１５に示されているように、短側壁３を略水平に倒した際の底部１の裏面１’から短側壁３の上面３’までの高さＴ１’を低くすることも可能であるが、このような間隙Ｓを形成すると、箱型に組み立てられた折り畳みコンテナーに収容されている内容物が、この間隙Ｓ１に嵌まり込み、内容物の取り出しに支障をきたしたり、また、折り畳みコンテナーの折り畳み作業の際に、間隙Ｓ１に嵌まり込んでいる内容物により、折り畳み作業の障害になるという問題がある。
【００２８】
本発明の目的は、上述した従来の折り畳みコンテナーが有する課題を解決することにある。
【００２９】
【課題を解決するための手段】
本発明は、上述した目的を達成するために、雌ヒンジ部材が形成されている相対する一方の土手部と同じく雌ヒンジ部材が形成されているとともに前記相対する一方の土手部より高さの低い相対するもう一方の土手部と段部を有する平面形状が略Ｌ字状の角部ブロックとを有する底部と、前記相対する一方の土手部に形成された雌ヒンジ部材にヒンジ連結されるヒンジ雄部が形成されている相対する一方の側壁と、前記もう一方の相対する土手部に形成された雌ヒンジ部材にヒンジ連結されるヒンジ雄部が形成されている相対するもう一方の側壁とを有し、前記相対する一方の側壁と前記相対するもう一方の側壁とが略垂直に立てられた状態から、先ず最初に、前記相対するもう一方の側壁を底部方向に倒し、次いで、前記相対する一方を底部方向に倒すことにより、折り畳むことが可能な折り畳みコンテナーにおいて、前記相対する一方の土手部に形成された雌ヒンジ部材が、前記相対する一方の土手部の水平部の上面に立設された板状部と該板状部の上端に形成されたフックとから構成され、また、前記相対する一方の側壁に形成されたヒンジ雄部が、前記相対する一方の側壁の下部フランジに垂設された一対の支持片と該一対の支持片に架橋された水平ピンとから構成されており、前記相対する一方の土手部に形成された雌ヒンジ部材のフックに、前記相対する一方の側壁に形成されたヒンジ雄部の水平ピンを嵌入することにより、前記底部の相対する一方の土手部と前記相対する一方の側壁とがヒンジ連結されるように構成されているとともに、前記相対する一方の側壁を底部方向に倒した際には、前記相対する一方の側壁に形成された前記ヒンジ雄部の支持片の内側垂直端面が、前記相対する一方の土手部の水平部の上面に載置されるように構成されており、更に、前記相対する一方の側壁に形成されたヒンジ雄部を構成する支持片の内側垂直端面が、前記相対する一方の側壁の内面より、所定距離、引っ込んでおり、且つ、前記所定距離だけ、前記角部ブロックの段部及び上端の高さを、それぞれ、低く形成したものである。
【００３０】
【実施例】
以下に、図１〜図３を用いて、本発明の実施例について説明するが、本発明の趣旨を越えない限り何ら、本実施例に限定されるものでない。なお、箱型に組み立てられた状態から折り畳む際に、後から倒される側壁、即ち、本実施例の場合には、短側壁３に形成されたヒンジ雄部Ｈ４を構成する支持片ｈ３の構成以外は、上述した従来の折り畳みコンテナーと同じ構成を有しているので、同じ構成部材については、同じ符号を用いるとともに、その詳細な説明は省略する。
【００３１】
本実施例においては、後から倒される短側壁３の下部フランジ３ｂに形成された短側壁側ヒンジ雄部Ｈ４を構成する支持片ｈ３の内側垂直端面ｈ３ａを、可能な限り、短側壁３の板状部３ａの内面３ａ１より引っ込ませるようにしたものである。
【００３２】
上述したように、支持片ｈ３の内側垂直端面ｈ３ａを、短側壁３の板状部３ａの内面３ａ１より、所定距離Ｄだけ引っ込ませることにより、折り畳みコンテナーが折り畳まれた状態においては、図２及び図３に示されているように、短側壁３の下部フランジ３ｂに形成された短側壁側ヒンジ雄部Ｈ４を構成する支持片ｈ３の内側垂直端面ｈ３ａが、短辺側土手部１ａの水平部１ａ１の上面１ａ１’に載置された際には、支持片ｈ３の内側垂直端面ｈ３ａが、短側壁３の板状部３ａの内面３ａ１より引っ込んだ距離Ｄだけ、底部１の裏面１’から短側壁３の上面３’までの高さＴ１が、上述した従来の底部１の裏面１’から短側壁３の上面３’までの高さＴ１’より低くなる。
【００３３】
上述したように、折り畳みコンテナーが折り畳まれた状態において、底部１の裏面１’から短側壁３の上面３’までの高さＴ１が、上述した従来の高さＴ１’より、距離Ｄだけ低くなるので、角部ブロック１ｆの段部１ｆ１の上面の高さ及び上端１ｆ２の高さを、上記の距離Ｄだけ低くすることができ、従って、底部１の裏面１’から角部ブロック１ｆの上端１ｆ２までの折り畳まれた状態の折り畳みコンテナーの全体の高さＴを、従来の折り畳みコンテナーの全体の高さＴ’に比べて、距離Ｄ分だけ、低くすることができ、よって、折り畳まれた状態の折り畳みコンテナーの収納効率を高めることができる。
【００３４】
【発明の効果】
本発明は、以上説明した構成を有しているので、以下に記載する効果を奏するものである。
【００３５】
略垂直に立てられた状態の側壁のヒンジ雄部を構成する支持片と底部の土手部との間に間隙を形成するようなことなく、折り畳まれた状態の折り畳みコンテナーの高さを低くすることができ、折り畳まれた状態の折り畳みコンテナーの収納効率を高めることができるとともに、収容物の取り出し作業や折り畳みコンテナーの折り畳み作業に支障をきたすようなことがない。
【図面の簡単な説明】
【図１】図１は本発明の折り畳みコンテナーの底部と略垂直状態の短側壁の長側壁に沿った部分垂直側断面図である。
【図２】図２は本発明の折り畳みコンテナーの底部と倒された状態の短側壁の長側壁に沿った垂直側断面図である。
【図３】図３は本発明の折り畳みコンテナーの底部と倒された状態の短側壁の長側壁に沿った部分垂直側断面図である。
【図４】図４は従来の折り畳みコンテナーの底部の斜視図である。
【図５】図５は従来の折り畳みコンテナーの長側壁の斜視図である。
【図６】図６は従来の折り畳みコンテナーの底部と長側壁の分解部分斜視図である。
【図７】図７は従来の折り畳みコンテナーの短側壁の斜視図である。
【図８】図８は従来の折り畳みコンテナーの底部と短側壁の分解部分斜視図である。
【図９】図９は従来の折り畳みコンテナーの折り畳まれた状態の斜視図である。
【図１０】図１０は従来の折り畳みコンテナーの折り畳み途中の斜視図である。
【図１１】図１１は従来の折り畳みコンテナーが箱型に組み立てられた状態の斜視図である。
【図１２】図１２は従来の折り畳みコンテナーの底部と略垂直状態の短側壁の長側壁に沿った部分垂直側断面図である。
【図１３】図１３は従来の折り畳みコンテナーの底部と倒された状態の短側壁の長側壁に沿った垂直側断面図である。
【図１４】図１４は従来の別の折り畳みコンテナーの底部と略垂直状態の短側壁の長側壁に沿った部分垂直側断面図である。
【図１５】図１５は図１４に示されている短側壁が略水平に倒された状態の長側壁に沿った垂直側断面図である。
【符号の説明】
Ｈ４・・・・・・・ヒンジ雄部
ｈ３・・・・・・・支持片
１・・・・・・・・底部
２・・・・・・・・長側壁
３・・・・・・・・短側壁
３ｂ・・・・・・・下部フランジ
【図１】
0003718144.tif 000002
【図２】
0003718144.tif 000003
【図３】
0003718144.tif 000004
【図４】
0003718144.tif 000005
【図５】
0003718144.tif 000006
【図６】
0003718144.tif 000007
【図７】
0003718144.tif 000008
【図８】
0003718144.tif 000009
【図９】
0003718144.tif 000010
【図１０】
0003718144.tif 000011
【図１１】
0003718144.tif 000012
【図１２】
0003718144.tif 000013
【図１３】
0003718144.tif 000014
【図１４】
0003718144.tif 000015
【図１５】
0003718144.tif 000016